(57)【要約】【課題】優れた断熱性、気密性、施工性を確保しながらも、平坦な外表面を有する屋根、壁を効率的に構築し得る建材パネルおよびその建材パネルを用いた接続構造体を提案する。【解決手段】一対の短尺端縁と該短尺端縁につながる一対の長尺端縁とによって取り囲まれた輪郭形状を有し、芯材を外皮材と内皮材とによって挟み込んだ積層構造からなるパネル本体を備えた建材パネルにおいて、一の短尺端縁に凸部を設け、もう一の短尺端縁に凹部を設け、一対の長尺端縁には、カバーキャップの設置座面を形成する継手部を設ける。【選択図】図１
2020143498.tif 000002
【特許請求の範囲】
【請求項１】
一対の短尺端縁と該短尺端縁につながる一対の長尺端縁とによって取り囲まれた輪郭形状を有し、芯材を外皮材と内皮材とによって挟み込んだ積層構造からなるパネル本体を備え、
前記一対の短尺端縁側に他の建材パネルをそれぞれ隣接配置して短尺端縁同士を相互に突き合せる一方、前記一対の長尺端縁側に別の建材パネルをそれぞれ隣接配置して長尺端縁同士を向かい合わせに配置することにより建築構造物の接続構造体を構築する建材パネルであって、
前記一対の短尺端縁のうちの一の短尺端縁は、他の建材パネルの凹部に嵌合させて実継手を形成する凸部を有し、もう一の短尺端縁は、他の建材パネルの凸部を嵌合させて実継手を形成する凹部を有し、
前記一対の長尺端縁は、該長尺端縁に対して段下がりをなしてつながり、該段下がりにてカバーキャップの設置座面を形成する継手部を有することを特徴とする建材パネル。
【請求項２】
前記継手部は、その突端面に、前記カバーキャップの脚部を嵌合させて該カバーキャップの本体部分を前記設置座面に固定保持する凹所を有することを特徴とする請求項１に記載した建材パネル。
【請求項３】
前記凸部、前記凹部は、前記芯材に隣接配置された樹脂ブロックを前記外皮材と前記内皮材とによって挟み込んだ積層構造からなることを特徴とする請求項１または２に記載した建材パネル。
【請求項４】
前記設置座面は、前記カバーキャップの本体部分の裏側面に当接して該カバーキャップを前記パネル本体の外表面と面一状態に保持する少なくとも１本のリブを有することを特徴とする請求項１〜３のいずれか１項に記載した建材パネル。
【請求項５】
前記外皮材、前記内皮材は、亜鉛めっき鋼板、アルミニウム亜鉛合金めっき板、ステンレス鋼板、アルミニウム板、銅板またはそれらの塗装、被覆鋼板から選ばれるいずれか１種からなり、前記芯材は、発泡プラスチック系あるいは鉱物繊維系の断熱材からなることを特徴とする請求項１〜４のいずれか１項に記載した建材パネル。
【請求項６】
請求項１〜５のいずれか１項に記載された建材パネルを用いて構築された接続造体であって、
前記建材パネルの内皮材側を、ハット型部材が設置された取付け下地に向けるとともに、各建材パネルの継手部をそれぞれ該ハット型部材を挟んで突き合せ状態で位置せしめ、前記設置座面の少なくとも一箇所にドリルねじを打ち込んでパネル本体を取付け下地に固定し、該継手部の相互間に形成された隙間を通してカバーキャップの脚部を挿入、前記凹所に嵌合させて該カバーキャップの本体部分を前記設置座面に固定保持してなることを特徴とする建材パネルを用いた接続構造体。
【請求項７】
前記カバーキャップの本体部分は、前記設置座面を覆い隠す板状体からなり、該カバーキャップの脚部は、該板状体に片持ち状態で吊り下げ保持され、スプリングバックによって前記凹所に嵌合可能な一対の鉤状片からなることを特徴とする請求項６に記載した建材パネルを用いた接続構造体。
【請求項８】
前記隙間に止水用の環状ガスケットを配置してなることを特徴とする請求項６または７に記載した建材パネルを用いた接続構造体。
【発明の詳細な説明】
【技術分野】
【０００１】
本発明は、建築構造物の屋根や壁等に用いて好適な建材パネルおよびその建材パネルを用いた接続構造体に関するものである。
【背景技術】
【０００２】
二枚の金属板で断熱材を挟み込んだ積層構造からなるサンドイッチパネルは、軽量、高強度、高断熱、長尺材を効率的に製造できるメリットを有しており、工場や倉庫、一般住宅や集合住宅、店舗等の商業施設、あるいは畜舎等の建築構造物の外壁材や屋根材として広く採用されている。
【０００３】
とくに、外観上パネルのつなぎ合わせ部分を隠すためにカバーキャップを使用するサンドイッチパネルとしては、例えば特許文献１が参照される。
【０００４】
ところで、従来のサンドイッチパネルは、カバーキャップを固定するための部材を別途に用意する必要があり効率的な施工が実施できない不具合を有しており、また、カバーキャップそのものがサンドイッチパネルの外表面よりも外方へ突出して配置されることから、外観上好ましくないものであってその改善が求められていた。
【先行技術文献】
【特許文献】
【０００５】
【特許文献１】特許第５３９４９００号公報
【発明の概要】
【発明が解決しようとする課題】
【０００６】
本発明の目的は、部品点数を少なくし、パネルの外表面と同じ仕上がり面となるカバーキャップを確実に固定保持することができる建材パネルおよびその建材パネルを用いた接続構造体を提案するところにある。
【課題を解決するための手段】
【０００７】
本発明は、一対の短尺端縁と該短尺端縁につながる一対の長尺端縁とによって取り囲まれた輪郭形状を有し、芯材を外皮材と内皮材とによって挟み込んだ積層構造からなるパネル本体を備え、
前記一対の短尺端縁側に他の建材パネルをそれぞれ隣接配置して短尺端縁同士を相互に突き合せる一方、前記一対の長尺端縁側に別の建材パネルをそれぞれ隣接配置して長尺端縁同士を向かい合わせに配置することにより建築構造物の接続構造体を構築する建材パネルであって、
前記一対の短尺端縁のうちの一の短尺端縁は、他の建材パネルの凹部に嵌合させて実継手を形成する凸部を有し、もう一の短尺端縁は、他の建材パネルの凸部に嵌合させて実継手を形成する凹部を有し、
前記一対の長尺端縁は、該長尺端縁に対して段下がりをなしてつながり、該段下がりにてカバーキャップの設置座面を形成する継手部を有することを特徴とする建材パネルである。
【０００８】
上記の構成からなる建材パネルにおいては、
１）前記継手部は、その突端面に、前記カバーキャップの脚部を嵌合させて該カバーキャップの本体部分を前記設置座面に固定保持する凹所を有すること、
２）前記凸部、前記凹部は、前記芯材に隣接配置された樹脂ブロックを前記外皮材と前記内皮材とによって挟み込んだ積層構造からなること、
３）前記設置座面は、前記カバーキャップの本体部分の裏側面に当接して該カバーキャップを前記パネル本体の外表面と面一状態に保持する少なくとも１本のリブを有すること、
４）前記外皮材、前記内皮材は、亜鉛めっき鋼板、アルミニウム亜鉛合金めっき板、ステンレス鋼板、アルミニウム板、銅板またはそれらの塗装、被覆鋼板から選ばれるいずれか１種からなり、前記芯材は、発泡プラスチック系あるいは鉱物繊維系の断熱材からなること、が課題解決のための具体的手段として好ましい。
【０００９】
また、本発明は、上記の構成からなる建材パネルを用いて構築された接続造体であって、
前記建材パネルの内皮材側を、ハット型部材が設置された取付け下地に向けるとともに、各建材パネルの継手部をそれぞれ該ハット型部材を挟んで突き合せ状態で位置せしめ、前記設置座面の少なくとも一箇所にドリルねじを打ち込んでパネル本体を取付け下地に固定し、該継手部の相互間に形成された隙間を通してカバーキャップの脚部を挿入、前記凹所に嵌合させて該カバーキャップの本体部分を前記設置座面に固定保持してなることを特徴とする建材パネルを用いた接続構造体である。
【００１０】
上記の接続構造体においては、前記カバーキャップの本体部分を、前記設置座面を覆い隠す板状体からなるものとし、該カバーキャップの脚部を、該板状体に片持ち状態で吊り下げ保持され、スプリングバックによって前記凹所に嵌合可能な一対の鉤状片からなるものとするのが好ましい。
【００１１】
また、前記隙間には、止水用の環状ガスケットを配置することができる。
【発明の効果】
【００１２】
本発明によれば、一対の長尺端縁に、長尺端縁に対して段下がりをなしてつながる継手部を設け、この段下がりにてカバーキャップの設置座面を形成するようにしたため、カバーキャップが取り付けられた状態では、カバーキャップは、建材パネルの外表面と面一となり美観が保たれる。
【００１３】
また、本発明によれば、カバーキャップは、その脚部が継手部の突端面に設けられた凹所に嵌合することにより固定されるため、カバーキャップを固定するための下地部材は不要であり、建築構造物の屋根、壁等の接続構造体を効率的に構築することができる。
【図面の簡単な説明】
【００１４】
【図１】本発明にしたがう建材パネルの実施の形態を模式的に示した外観斜視図である。
【図２】（ａ）は、図１に示した建材パネルのＡ−Ａ矢視の拡大図であり、（ｂ）は、図１に示した建材パネルのＢ−Ｂ矢視の拡大図である。
【図３】図１のＣ−Ｃ断面を示した図である。
【図４】本発明にしたがう建材パネルのつなぎ合わせ状況を示した図である。
【図５】（ａ）は、カバーキャップの表面側の外観斜視図であり、（ｂ）は、カバーキャップの裏面側の外観斜視図である。
【図６】本発明にしたがう建材パネルを用いて建築構造物の壁等の接続構造体を構築する構築要領の説明図である。
【図７】本発明にしたがう建材パネルとカバーキャップとを用いて構築された接続構造体の一部分を示した外観斜視図である。
【発明を実施するための形態】
【００１５】
以下、図面を参照して本発明をより具体的に説明する。
図１は、本発明にしたがう建材パネルの実施の形態を模式的に示した外観斜視図であり、図２（ａ）（ｂ）は、図１に示した建材パネルのＡ−Ａ矢視およびＢ−Ｂ矢視の拡大図であり、図３は、図１のＣ−Ｃ断面を示した図である。
【００１６】
建築構造物の壁を構築するに当たっては、本発明にしたがう建材パネルを複数枚用いることが前提であり、本発明でいう他の建材パネル、別の建材パネルとは、本発明にしたがう建材パネルと同じ構成からなるものを意味している。建材パネルの幅寸法や長さは任意に変更し得るものであって、図示のものには限定されることはない。
【００１７】
図１〜３における符号１は、芯材Ａを外皮材Ｂと内皮材Ｃとによって挟み込んだ積層構造からなるパネル本体である。パネル本体１は、一対の短尺端縁１ａ、１ｂと、この短尺端縁１ａ、１ｂにつながる長尺端縁１ｃ、１ｄによって区画された輪郭形状を有している。
【００１８】
芯材Ａは、厚さ５０〜１５０ｍｍ程度の発泡プラスチック系あるいは鉱物繊維系の断熱材を用いることができ、外皮材Ｂ、内皮材Ｃは、厚さ０．２〜１．０ｍｍ程度の亜鉛めっき鋼板、アルミニウム亜鉛合金めっき板、ステンレス鋼板、アルミニウム板、銅板またはそれらの塗装、被覆鋼板を用いることができる。芯材Ａの厚さは、７５ｍｍ程度とするのが好ましく、外皮材Ｂ、内皮材Ｃとしては、厚さ０．５ｍｍ程度なるものを用いるのが好ましい。外皮材Ｂは、壁等の外表面に位置するものであり、内皮材Ｃは、胴縁等の取付け下地側に位置するものである。
【００１９】
また、符号２は、短尺端縁１ａに設けられ、図４に示すように、他の建材パネルの凹部３′に嵌合させて実継手を形成する凸部、３は、もう一方の短尺端縁１ｂに設けられ、他の建材パネルの凸部２′に嵌合させて実継手を形成する凹部である。凸部２、凹部３は、芯材Ａに隣接配置された樹脂ブロックＤを外皮材Ｂと内皮材Ｃとによって挟み込んだ積層構造にて構成され、これによりつなぎ合わせ部位の強度を高めることができるようになっている。凸部２は、凹部３に嵌合可能なサイズ、形状に、また、凹部３は、凸部２に嵌合可能なサイズ、形状に設定されるものであって、外皮材Ｂ、内皮材Ｃに成形加工を施すことにより形成される。
【００２０】
また、符号４は、長尺端縁１ｃ、１ｄに対して段下がりをなしてつながり、該段下がりにて後述するカバーキャップの設置座面ｄを形成する継手部である。継手部４は、その突端面４ａにカバーキャップの脚部を嵌合させて該カバーキャップの本体部分を設置座面ｄに固定保持する凹所４ｂを有している。凹所４ｂとしては、Ｖ字型の傾斜壁を有するものを適用することができるが、断面形状は図示のものに限定されることはない。
【００２１】
また、符号５は、設置座面ｄに設けられたリブである。リブ５は、カバーキャップの本体部分の裏側面に当接して該カバーキャップをパネル本体１の外表面と面一状態に保持する。リブ５は、ここでは、一つの継手部４につき、１本設けた場合について示したが、リブ５の本数は２本もしくは、２本以上設けることもできる。
【００２２】
図５（ａ）（ｂ）は、上記の構成からなる建材パネルを用いて壁等の接続構造体を構築する際に用いて好適なカバーキャップ６を模式的に示した外観斜視図である。カバーキャップ６としては、設置座面ｄを覆い隠す板状体からなる本体部分６ａと、この本体部分６ａの裏側面に片持ち状態で吊り下げ保持され、スプリングバックによって凹所４ｂに嵌合可能な鉤状片からなる脚部６ｂから構成されたものを適用することができる。カバーキャップ６は、単一の板材をＴ字状に曲げ加工を施して構成するのが好ましい。
【００２３】
本発明にしたがう建材パネルと、上記のカバーキャップ６を用いて建築構造物の屋根、壁等の接続構造体を構築するには、図６に示すように、建材パネルの内皮材側を、ハット型部材７が設置された取付け下地８に向けるとともに、各建材パネルの継手部４をそれぞれ該ハット型部材７を挟んで突き合せ状態で位置せしめる。そして、継手部４の設置座面ｄの一箇所もしくは複数個所にドリルねじを打ち込んでパネル本体１を取付け下地８に固定し、該継手部４の相互間に形成された隙間を通してカバーキャップ６の脚部６ｂを挿入して該脚部６ｂを凹所４ｂに嵌合させ、該カバーキャップ６の本体部分６ａを設置座面ｄに固定保持すればよく、これにより下地部材を使用したり、建材パネルの外表面からカバーキャップが突出することのなしに接続構造体が構築される。図７に、本発明にしたがう建材パネルとカバーキャップ６とを用いて構築された接続構造体の一部分の外観斜視図を示す。
【００２４】
凹所４ｂをＶ字状の傾斜壁とし、カバーキャップ６の脚部６ｂを鉤状片とすることにより、該カバーキャップ６は、脚部６ｂが凹所４ｂに嵌合したとき、脚部６ｂの先端が凹所４ｂの傾斜壁に当接して抜け止め保持されることになる。
【００２５】
カバーキャップ６を取り付けるに当たっては、それに先立ち、隙間に環状ガスケット９を配置することが可能であり、これにより止水性を高めることができる。
【００２６】
ハット型部材７としては、外皮材Ｂ、内皮材Ｃと同材質からなり、組み付け状態で、その端縁がパネル本体１の内皮材Ｃに当接可能な折り返し部７ａを有するものを用いることが可能であり、ハット型部材７と内皮材Ｃとの間に定型シーリング材１１を設置することにより止水性を高めることができるが、止水性についてとくに問題がない場合には、ハット型部材７、定型シーリング材１１の配置を省略することもできる。
【００２７】
カバーキャップ６の本体部分６ａと設置座面ｄとの間には、反発力で止水できる発泡系シリコーンからなる定型シーリング材１０を配置してもよい。
【産業上の利用可能性】
【００２８】
本発明によれば、優れた断熱性、防水性、施工性を確保しながらも、下地部材を使用せずに平坦な外表面を有する屋根、壁等を効率的に構築し得る建材パネルおよびその建材パネルを用いた接続構造体が提供できる。
【符号の説明】
【００２９】
１      パネル本体
１ａ、１ｂ    短尺端縁
１ｃ、１ｄ    長尺端縁
２      凸部
３      凹部
４      継手部
４ａ    突端面
４ｂ    凹所
５      リブ
６      カバーキャップ
６ａ    本体部分
６ｂ    脚部
７      ハット型部材
７ａ    折り返し部
８      取付け下地
９      環状ガスケット
１０    定型シーリング材
１１    定型シーリング材
Ａ      芯材
Ｂ      外皮材
Ｃ      内皮材
ｄ      設置座面
【図１】
2020143498.tif 000003
【図２】
2020143498.tif 000004
【図３】
2020143498.tif 000005
【図４】
2020143498.tif 000006
【図５】
2020143498.tif 000007
【図６】
2020143498.tif 000008
【図７】
2020143498.tif 000009